(57)【要約】  蓋（９）と厚みのある材料から形成された胴体（２）とを含む喫煙品用パックが開示されている。蓋が前壁下方縁部を有する前壁（１３）および折り曲げ線（１７ａ）によってこの縁部の一部に取り付けられたフラップ（１７）を有し、少なくとも折り曲げ線の一部が厚みのある材料を部分的に切断することによって形成され、フラップが蓋の前壁の内面に接するように折り曲げ線を中心に折り曲げた際に、フラップが取り付けられる前壁下方縁部のその部分が、前壁下方縁部の残りの部分に位置合わせされる。
2013530889.tif 000002
【特許請求の範囲】
【請求項１】
蓋と厚みのある材料から形成された胴体とを含み、蓋が前壁下方縁部を有する前壁および折り曲げ線によってこの縁部の一部に取り付けられたフラップを有し、少なくとも折り曲げ線の一部が厚みのある材料を部分的に切断することによって形成され、フラップが蓋の前壁の内面に接するように折り曲げ線を中心に折り曲げた際に、フラップが取り付けられる前壁下方縁部のその部分が、前壁下方縁部の残りの部分に位置合わせされる喫煙品用パック。
【請求項２】
前記切断部は、前記前壁下方縁部の前記部分に沿って連続して延びていることを特徴とする請求項１記載の喫煙品パック。
【請求項３】
前記切断部は、前記前壁下方縁部の前記部分に沿って部分的に延びていることを特徴とする請求項１記載の喫煙品パック。
【請求項４】
前記部分の折り曲げ線は、直線状であることを特徴とする請求項１乃至３いずれか１項記載の喫煙品パック。
【請求項５】
前壁下方縁部の残りの部分が湾曲していることを特徴とする請求項１乃至４いずれか１項記載の喫煙品パック。
【請求項６】
前記部分が、湾曲した前壁下方縁部セクションの間に位置することを特徴とする請求項１乃至５いずれか１項記載の喫煙品パック。
【請求項７】
前記胴体は、パックが閉鎖位置にあるときに、胴体の上方縁部とおいて前壁下方縁部が当接するように、蓋の前壁下方縁部に似た外形を有する上方縁部を含むことを特徴とする請求項１乃至６いずれか１項記載の喫煙品パック。
【請求項８】
前記胴体の上方縁部と前壁下方縁部が、湾曲したセクションおよび直線状のセクションを有する閉鎖線を形成することを特徴とする請求項７記載の喫煙品パック。
【請求項９】
前記切断部は、切り込み線を設けることによって形成されることを特徴とする請求項１乃至８いずれか１項記載の喫煙品パック。
【請求項１０】
添付図面を参照し、実質的に説明される喫煙品パック。
【請求項１１】
請求項１乃至１０いずれか１項記載の喫煙品パック。
【発明の詳細な説明】
【技術分野】
【０００１】
本発明は、喫煙品用のパックに関する。
【背景技術】
【０００２】
紙巻きタバコなどの喫煙品は、通常、パックに収納され、パックの一般的な機能は、紙巻きタバコを貯蔵し、紙巻きタバコを機械的および環境的損傷から保護することである。種々の紙巻きタバコパックの構成が、従来から知られており、ヒンジ式蓋付きパックおよびスライド式のインサートを有するシェル式パックなどがある。ヒンジ式蓋付きパックは、喫煙品の束を保持するためのスペースを形成するために胴体と蓋とを含む。蓋は、ヒンジ線に沿って胴体の後部パネルに取り付けられ、解放および閉鎖位置の間で回転することができる。閉鎖位置において蓋の前壁の下方縁部が、胴体の前部パネルの上方縁部に当接し、面一の外方仕上がり面を形成する。蓋の前壁は、通常、蓋前壁の下方縁部に位置合わせされた折り曲げ線を中心に折り曲げられたフラップによって形成され、２つの層を形成し、蓋に強度を与え、蓋の撓みを防ぎ、さらにはパックを繰り返し開閉した後に蓋前壁下方縁部が、胴体前部パネルの上方縁部が接近して位置しなくなるパックのゆるみまたはたるみを防ぐ。
【０００３】
一般に蓋の前壁と胴体の前部パネルが閉じたときのその間の線は、真っ直ぐであり、パックの蓋が回転する際に中心となるヒンジ線に対して平行に延びている。しかしながら、蓋の前壁と胴体の前部パネルの閉鎖時の線が湾曲した喫煙品用パックが下記特許文献１から知られている。
【０００４】
湾曲した蓋の下方縁部を有するパックには、上述したようなフラップを使用して蓋の前壁を２層構造にするのは難しいという問題点がある、というのはラップが蓋の前壁の真っ直ぐな下方縁部に位置合わせされた折り曲げ線を中心に簡単に折れ曲がる従来のヒンジ式蓋付きパックとは対照的にフラップを湾曲した縁部を中心に折り曲げることが不可能であるからである。
【０００５】
特許文献１は蓋の下方縁部が湾曲したパックを提供し、蓋の下方縁部に真っ直ぐなまたは直線状の部分を設け、これにフラップを真っ直ぐな折り曲げ線に沿って取り付け、この直線状の部分が蓋の下方縁部の湾曲したセクションの間を延びるようにして上述の問題点を克服することを目的としている。これによって閉鎖線は、真っ直ぐなセクションと湾曲した セクションの両方を含む。特許文献１から知られているパックでは、折り曲げ線は、蓋の下方縁部およびフラップの間に折り目を設けることによって形成される。しかしながら折り目は、必ずしもフラップを確実に折り曲げ線を中心に正確に折り曲げるとは言えず、従って段に対してフラップが取り付けられていない隣接する蓋の前壁の湾曲した下方縁部に対してずれが生じたり、段が形成されてしまう場合があり、視覚的に許容できない見栄えになってしまう。
【発明の概要】
【発明が解決しようとする課題】
【０００６】
本発明は、上述の問題点を解消するまたは実質的に軽減する喫煙品を保持するためのパックを提供することを目的としている。
【課題を解決するための手段】
【０００７】
本発明では、蓋と厚みのある材料から形成された胴体とを含み、蓋が前壁下方縁部を有する前壁および折り曲げ線によってこの縁部の一部に取り付けられたフラップを有し、少なくとも折り曲げ線の一部が厚みのある材料を部分的に切断することによって形成され、フラップが蓋の前壁の内面に接するように折り曲げ線を中心に折り曲げた際に、フラップが取り付けられる前壁下方縁部のその部分が、前壁下方縁部の残りの部分に位置合わせされる喫煙品用パックを提供する。
【０００８】
上記切断部は、上記前壁下方縁部の上記部分に沿って連続して延びていることが好ましい。
【０００９】
１つの実施態様では上記切断部は、上記前壁下方縁部の上記部分に沿って部分的に延びている。
【００１０】
上記部分の折り曲げ線は、直線状であり、前壁下方縁部の残りの部分が湾曲していると便利である。
【００１１】
フラップが取り付けられる前壁下方縁部の上記部分は、湾曲した前壁下方縁部セクションの間に位置してもよい。
【００１２】
１つの実施態様では胴体は、パックが閉鎖位置にあるときに、胴体の上方縁部とおいて前壁下方縁部が当接するように、蓋の前壁下方縁部に似た外形を有する上方縁部を含む。
【００１３】
胴体の上方縁部と前壁下方縁部が、湾曲したセクションおよび直線状のセクションを有する閉鎖線を形成するのが好ましい。
【００１４】
上記切断部は、切り込み線を設けることによって形成されると便利である。
【００１５】
本発明の別の態様では上述の本発明を形成するためのブランクも提供される。
【００１６】
本発明のいくつかの実施態様を添付面を参照し、あくまで例示を目的として説明する。
【図面の簡単な説明】
【００１７】
【図１】本発明による喫煙品の束を保持するためのパックを示す。
【図２】図１のパックを形成するためのブランクを示す。
【図３】図１および２のパックに挿入される内部フレームを形成するためのブランクを示す。
【発明を実施するための形態】
【００１８】
図面を参照すると、図１には本発明による喫煙品の束を保持するためのパックが示されている。図２は図１のパックを形成するためのブランクを示し、実線は切断線またはブランクの２０の外方の境界を示し、波線は折り曲げによって形成される線を表している。パック１は、閉鎖線８を有する胴体２および蓋９を含む。パックの蓋の下方縁部と胴体の上方縁部との間の閉鎖線８は、中央の真っ直ぐなまたは直線状部分によって隔てられた湾曲した領域を有する。
【００１９】
パック１の胴体２は、２つの対向する左および右側部パネル２１ａ、２１ｂによって隔てられた対向する前方および後部パネル３、４によって形成されている。前部パネル３と側部パネル２１ａ、２１ｂの接合部に形成された角７は、丸みを帯びていてもよい。前方パネル３および側部パネル２１ａ、２１ｂは、以下の説明で明らかになる閉鎖線８を形成するために蓋９の対応する下方縁部１５と当接する上方縁部５によって形成されている。図２から明らかなように胴体２は底部パネル１０によって形成される。
【００２０】
図１および２を参照すると胴体２は、折り曲げ線１１に沿って蓋９の後壁１４に接続されている。さらに蓋９には蓋９の後壁１４、前壁１３および左右の側壁１６の間を延びる上壁１２が設けられている。蓋９の前壁１３と側壁１６は、パック１を閉じた際に、胴体２の上方縁部５と対になる下方縁部１５で形成されている。図１から明らかなように蓋９の前壁１３および胴体２の前部パネル３の下方縁部および上方縁部１５、５は、上記閉鎖線８を形成する。
【００２１】
図２から明らかなようにブランク２０は、長尺の形状であり、上述のパック１の胴体２および蓋９を含む。ブランク２０の胴体２は、前部パネル３、底部パネル１０および後部パネル４で形成されている。前部パネル３は、ブランク２０が折り曲げられると、後部パネル４から延びる側部フラップ２２ａ、２２ｂと重なる左および右側壁２１ａ、２１ｂを含む。図２に示すように前壁３およびその側壁２１ａ、２１ｂの間に位置するブランクの波線は、ブランクが折り曲げられたときに角が丸みを帯びることを表している。
【００２２】
さらにブランク２０の蓋９は、上述したように後壁１４、上壁１２および前壁１３を含む。蓋９の上壁および後壁１２、１４は、ブランク２０が折り曲げられたときに、蓋９の前壁１３の側壁１６と重なる側部フラップ１８で形成される。さらに蓋９の前壁１３は、折り曲げ線１７ａによって形成された蓋の縁部の真っ直ぐな部分に取り付けられたフラップ１７によって形成される。フラップ１７は、内方に折り曲げられて、蓋９の前壁１３の内面に接して位置する。フラップ１７は、それが蓋９の前壁１３と共に２つの層を形成するので、蓋９に強度と安定性を付与する。パック１の見た目をよくし、フラップ１７が延びる蓋の下方縁部１５に沿って段や凹凸ができないようにするために、折り曲げ線１７ａは、外方に向いたブランクの側で左の隣接する下方縁部セクション１５ａから右の隣接する下方縁部セクション１５ｂまでの長さに沿って連続的にその厚みを部分的に通って切れ目または刻み目が付けられ、これによりフラップ１７が内方に折り曲げられた際に蓋の縁部の真っ直ぐな部分が上記左および右の隣接する下方縁部セクション１５ａ、１５ｂと位置合わせされる。その後、パック１が閉じられると、胴体２の上方縁部５が左および右の隣接する下方縁部セクション１５ａ、１５ｂおよび真っ直ぐな下方縁部部分と当接する。当然のことながら折り曲げ線に沿った切れ目または刻み目は、材料の厚みを薄くするだけでなく、折り曲げ線を中心にしたフラップの折り曲げを補助する。
【００２３】
上述の実施態様とは別に折り曲げ線をその全長に亘ってではなく、部分的にその厚みを介して切れ目または刻み目をつけてもよい。例えば、折り曲げ線の僅かな部分に切れ目または刻み目を入れないで、製造時にフラップが安定するようにしてもよい。その僅かな部分は、折り曲げ線の両側で約１ｍｍの長さのセクションであってもよく、これとは別に、切れ目のない１つのセクションを折り曲げ線の中央に配置してもよい。当然のことながらそのセクションは、従来技術で説明されている折り曲げ線の長さと比較して極めて小さいものであるので、本明細書の導入部で説明したような隣接する蓋の下方縁部に対するずれや段が形成されてしまう可能性は、小さくなる。
【００２４】
当然のことながら本発明の範囲は、図１および２に例示した閉鎖線８の形状に限定されない。フラップが延びる真っ直ぐな部分を有するあらゆる不規則な閉鎖線によって形成されるパックも本発明の利点を得られ、本願の範囲内に含まれる。
【００２５】
本発明によるパックは、図３に例示するような内部フレーム３０を収容することが想定される。図３に示す内部フレーム３０は、波線の折り曲げ線に沿って折り曲げられ、丸みを帯びた角を形成する。内部フレーム３０は、切り抜き部３１によって形成され、ユーザーが喫煙品を取り出しやすくしている。また図３に例示するように内部フレーム３０には蓋の側壁の内面と係合するタブ３２が設けられており、パックが意図せずに開いたり、ゆるんだりしないようにしている。
【００２６】
本発明の実施態様を図示し、説明してきたが、当業者には当然のことながら上記の説明は、好ましい実施態様の説明にすぎないと見なすべきであり、添付の特許請求の範囲に含まれる他の実施態様もこの開示の一部を形成すると考えられる。
【先行技術文献】
【特許文献】
【００２７】
【特許文献１】米国特許第６，４５７，５８０号明細書
【図１】
2013530889.tif 000003
【図２】
2013530889.tif 000004
【図３】
2013530889.tif 000005
【国際調査報告】
2013530889.tif 000006
2013530889.tif 000007